(57)【要約】通信システムにおけるアイドルモードの移動局の位置更新のための装置及び方法を提供するものであり、移動局は、位置更新を要求するレンジング要求メッセージを基地局に送信し、基地局からレンジング応答メッセージを受信して自機に対する着信号(downlink traffic)が発生したか否かを確認し、当該着信号の発生を確認すると、ネットワークに再進入する。基地局は、移動局からレンジング要求メッセージを受信すると、位置更新の手順を遂行し、前記移動局に対する着信号が発生したか否かを確認し、当該着信号の発生の有無を示す情報を含むレンジング応答メッセージを生成し、該レンジング応答メッセージを前記移動局に送信する。【選択図】図４
2009535967.tif 000002
【特許請求の範囲】
【請求項１】
位置更新が要求されると、位置更新を要求するレンジング要求メッセージを基地局に送信し、前記基地局からレンジング応答メッセージを受信し、移動局に対する着信号が発生したか否かを前記レンジング応答メッセージから確認し、該移動局に対する着信号の発生を確認すると、ネットワークへの再進入を遂行する移動局と、
前記移動局から前記レンジング要求メッセージを受信すると、位置更新の手順を遂行し、前記移動局に対する着信号が発生したか否かを確認し、前記移動局に対する着信号が発生したか否かを示す情報を含む前記レンジング応答メッセージを生成し、該レンジング応答メッセージを前記移動局に送信する前記基地局と、
を含むことを特徴とする無線通信システムにおける位置更新装置。
【請求項２】
前記基地局は、
前記レンジング要求メッセージが位置更新を要求している場合に、位置更新の手順を遂行するレンジング要求処理部と、
要求された前記位置更新が成功的に行なわれた場合に、前記移動局に対する着信号が発生したか否かを検査する着信号処理部と、
前記位置更新が成功したか否かと、移動局に対する着信号が保留状態であるか否か、とを示す情報を含む前記レンジング応答メッセージを生成し、該レンジング応答メッセージを前記移動局に送信するレンジング応答処理部と、
を含むことを特徴とする請求項１に記載の位置更新装置。
【請求項３】
前記移動局は、
アイドルモードにおける位置更新の条件により位置更新の手順を遂行するための前記レンジング要求メッセージを生成するレンジング要求処理部と、
前記レンジング応答メッセージから位置更新のための情報を取得し、該レンジング応答メッセージから移動局に対する保留状態の着信号が存在するか否かを確認するレンジング応答処理部と、
前記移動局に対する保留状態の着信号が存在する場合には、着信号を受信するために、当該優先基地局である前記基地局へネットワーク再進入を試みるネットワーク再進入処理部と、
を含むことを特徴とする請求項１に記載の位置更新装置。
【請求項４】
前記位置更新のための情報はページング情報であり、
前記移動局は、
前記ページング情報に含まれた新たなページング周期及び新たなページングオフセットを使用してページングリスニング区間（PLI:Paging Listening Interval）を更新し、前記ページング情報に含まれた新たなページンググループ識別子を保存するための位置更新処理部をさらに含むことを特徴とする請求項３に記載の位置更新装置。
【請求項５】
前記レンジング応答メッセージは、位置更新応答（ＬＵＲ） ＴＬＶ(Type, Length, Value)パラメータで、前記移動局に対する着信号が生成されたか否かを示す情報を含むことを特徴とする請求項１に記載の位置更新装置。
【請求項６】
前記位置更新応答（ＬＵＲ）のＴＬＶパラメータは、下記の表のとおりに規定されることを特徴とする請求項５に記載の位置更新装置。
2009535967.tif 000004
【請求項７】
移動局から受信されたレンジング要求メッセージが位置更新を要求している場合に、位置更新の手順を遂行するレンジング要求処理部と、
要求された前記位置更新が成功的に行なわれた場合に、前記移動局に対する着信号が発生したか否かを検査する着信号処理部と、
前記位置更新が成功したか否かと、移動局に対する着信号が保留状態であるか否か、とを示す情報を含むレンジング応答メッセージを生成し、該レンジング応答メッセージを前記移動局に送信するレンジング応答処理部と、
を含むことを特徴とする無線通信システムにおける基地局の位置更新装置。
【請求項８】
前記レンジング応答メッセージは、位置更新応答（ＬＵＲ）  ＴＬＶ(Type, Length, Value)パラメータで、前記移動局に対する着信号が生成されたか否かを示す情報を含むことを特徴とする請求項７に記載の位置更新装置。
【請求項９】
前記位置更新応答（ＬＵＲ）のＴＬＶパラメータは、下記の表のとおりに規定されることを特徴とする請求項８に記載の位置更新装置。
2009535967.tif 000005
【請求項１０】
アイドルモードにおける位置更新の条件により位置更新の手順を遂行するためのレンジング要求メッセージを生成するレンジング要求処理部と、
基地局から受信されたレンジング応答メッセージから位置更新のための情報を取得し、前記レンジング応答メッセージから当該移動局に対する保留状態の着信号が存在するか否かを確認するレンジング応答処理部と、
前記移動局に対する保留状態の着信号が存在する場合には、着信号を受信するために、当該優先基地局である前記基地局へネットワーク再進入を試みるネットワーク再進入処理部と、
を含むことを特徴とする無線通信システムにおける移動局の位置更新装置。
【請求項１１】
前記位置更新のための情報は、ページング情報であることを特徴とする請求項１０に記載の位置更新装置。
【請求項１２】
ページング情報に含まれる新たなページング周期及び新たなページングオフセットを使用してページングリスニング区間（ＰＬＩ）を更新し、前記ページング情報に含まれる新たなページンググループ識別子を保存するための位置更新処理部をさらに含むことを特徴とする請求項１１に記載の位置更新装置。
【請求項１３】
前記レンジング応答メッセージは、位置更新応答（ＬＵＲ）  ＴＬＶ(Type, Length, Value)パラメータで、前記移動局に対する着信号が生成されたか否かを示す情報を含むことを特徴とする請求項１０に記載の位置更新装置。
【請求項１４】
前記位置更新応答（ＬＵＲ）のＴＬＶパラメータは、下記の表のとおりに規定されることを特徴とする請求項１３に記載の位置更新装置。
2009535967.tif 000006
【請求項１５】
位置更新が必要なときに、移動局が、当該位置更新を要求するレンジング要求メッセージを基地局に送信する過程と、
前記基地局によって、前記レンジング要求を受信し、位置更新の手順を遂行する過程と、
前記基地局によって、前記位置更新の手順を遂行した後、前記移動局に対する着信号が発生したか否かを確認し、前記移動局に対する着信号が発生したか否かを示す情報を含むレンジング応答メッセージを生成し、該レンジング応答メッセージを前記移動局に送信する過程と、
前記移動局により、前記レンジング応答メッセージから、当該移動局に対する着信号が生成されたか否かを確認し、当該移動局に対する着信号が生成された場合に、ネットワークへの再進入を遂行する過程と、
を含むことを特徴とする無線通信システムにおける位置更新方法。
【請求項１６】
前記レンジング応答メッセージ（RNG-RSP）は、位置更新応答（ＬＵＲ）  ＴＬＶ(Type, Length, Value)パラメータで、前記移動局に対する着信号が生成されたか否かを示す情報を含むことを特徴とする請求項１５に記載の位置更新方法。
【請求項１７】
前記位置更新応答（ＬＵＲ）のＴＬＶパラメータは、下記の表のとおりに規定されることを特徴とする請求項１６に記載の位置更新方法。
2009535967.tif 000007
【請求項１８】
移動局から位置更新を要求するレンジング要求メッセージを受信すると、位置更新の手順を遂行する過程と、
前記要求された位置更新を行なった後に、前記移動局に対する着信号が発生されたか否かを確認する過程と、
前記移動局に対する保留状態の着信号が存在するかを示す情報を含むレンジング応答メッセージを生成する過程と、
前記レンジング応答メッセージを前記移動局に送信する過程と、
を含むことを特徴とする無線通信システムにおける基地局の位置更新方法。
【請求項１９】
前記レンジング応答メッセージは、位置更新応答（ＬＵＲ）  ＴＬＶ(Type, Length, Value)パラメータで、前記移動局に対する着信号が生成されたか否かを示す情報を含むことを特徴とする請求項１８に記載の位置更新方法。
【請求項２０】
前記位置更新応答（ＬＵＲ）のＴＬＶパラメータは、下記の表のとおりに規定されることを特徴とする請求項１９に記載の位置更新方法。
2009535967.tif 000008
【請求項２１】
位置更新が要求されると、レンジング要求メッセージを生成し、該レンジング要求メッセージを基地局に送信する過程と、
前記基地局からレンジング応答メッセージを受信すると、当該移動局に対する保留の着信号が存在するか否かを当該レンジング応答メッセージから確認する過程と、
前記移動局に対する保留の着信号が存在する場合に、ネットワークへの再進入を遂行する過程と、
を含むことを特徴とする無線通信システムの移動局における位置更新方法。
【請求項２２】
前記レンジング応答メッセージは、位置更新応答（ＬＵＲ）  ＴＬＶ(Type, Length, Value)パラメータで、前記移動局に対する着信号が生成されたか否かを示す情報を含むことを特徴とする請求項２１に記載の位置更新方法。
【請求項２３】
前記位置更新応答（ＬＵＲ）のＴＬＶパラメータは、下記の表のとおりに規定されることを特徴とする請求項２２に記載の位置更新方法。
2009535967.tif 000009
【発明の詳細な説明】
【技術分野】
【０００１】
本発明は、広帯域無線接続（Broadband Wireless Access：ＢＷＡ）通信システムに関し、より詳しくは、アイドルモード中の移動局（Mobile Station：ＭＳ）の位置更新の手続の間に発生された下向トラフィック（downlink traffic：以下「着信号」という）をより早期に処理するための装置及び方法に関する。
【背景技術】
【０００２】
次世代通信システムである４世代（4th  Generation：以下「４Ｇ」という）通信システムにおいては、約１００Ｍｂｐｓの或いはそれ以上の伝送速度を有する多様なサービス品質（Quality  of  Service：以下「ＱｏＳ」という）を有するサービスをユーザに提供するための研究が盛んに行なわれている。特に、無線のローカルエリア・ネットワーク（Local  Area  Network：以下「ＬＡＮ」という）システム及び無線の都市地域ネットワーク（Metropolitan  Area  Network：以下「ＭＡＮ」という）システムのような広帯域無線接続（ＢＷＡ）通信システムに、移動性（mobility）とＱｏＳを保障する形態で高速サービスを支援しようとする研究が活発に行われている。そして、そのようなシステムの例が、ＩＥＥＥ（Institute  of  Electrical  and  Electronics  Engineers）８０２．１６ａ及びＩＥＥＥ８０２．１６ｅ通信システムである。
【０００３】
ＩＥＥＥ８０２．１６ｅの規格によると、アイドルモードの移動局は、複数の位置更新の条件のいずれかを満たすと、自機の位置更新の手順を行なう。ＩＥＥＥ  ８０２．１６ｅ−２００５の規格において定義される位置更新の条件は、区域による位置更新（Zone Update）、時間の経過による位置更新(Time Update)、電源遮断による位置更新(Power Down Update)、及びＭＡＣ（Medium Access Control）ハッシュスキップ閾値による位置更新（MAC  Hash  Skip  Threshold Update）の４つがある。
【０００４】
位置更新について説明する前に、以下の説明において、ＤＣＤ（Downlink  Channel  Descriptor）、ＵＣＤ（Uplink  Channel  Descriptor）、ＭＯＢ＿ＰＡＧ−ＡＤＶ（Mobile  Paging  Advertisement）、ページンググループ識別子（PG-ID）、ＭＡＣハッシュスキップ閾値（MAC  Hash  Skip  Threshold）、ＭＡＣハッシュスキップカウンタ（MAC Hash  Skip  Counter）、ＤＲＥＧ−ＣＭＤ（Deregistration  Command）、レンジング要求（RNG-REQ）、及びレンジング応答（RNG-RSP）メッセージの詳細は、「ＩＥＥＥ  ８０２．１６ｅ−２００５」の規格を参照する。
【０００５】
先ず、区域（zone）による位置更新では、移動局は、該移動局自身が知っているページングリスニング区間（Paging  Listening  Interval、以下「ＰＬＩ」という）の間、優先基地局（Preferred  BS）により放送されたＤＣＤメッセージまたはＭＯＢ＿ＰＡＧ−ＡＤＶメッセージに含まれるページンググループ識別子（Paging  Group  ID、以下「ＰＧ−ＩＤ」という）と自機内に格納されたＰＧ−ＩＤとを比較することにより、自機のページンググループの変更事実を検出すると、位置更新の手順を遂行する。もし、当該２つのＰＧ−ＩＤが異なる場合には、移動局は、ページンググループが変更されたと判断する。
【０００６】
時間の経過による位置更新では、移動局は、アイドルモードタイマー（idle  mode  timer）が満了する前に、位置更新の手順を周期的に行なう。当該アイドルモードタイマーは、ＩＥＥＥ８０２．１６ｅ−２００５の規格のパラメータ及び定数（Parameters  and  Constants）に定義されているように、最小１２８秒〜最大６５，５３６秒に設定される。
【０００７】
電源遮断による位置更新では、移動局は、自機の順序立った電源遮断の手順の一部として、位置更新を試みる。移動局が、自機が電源遮断されることを当該移動局のアイドルモードを管轄するネットワークエンティティー（network  entity）であるページングコントローラ（paging  controller）に知らせることにより、当該ページングコントローラは、当該移動局に関する情報を解除する。
【０００８】
ＭＡＣハッシュスキップ閾値（MAC  Hash  Skip  Threshold）による位置更新では、移動局は、該移動局自体が管理するＭＡＣハッシュスキップカウンタ（MAC  Hash  Skip  Counter）値がＭＡＣハッシュスキップ閾値を超える場合、位置更新の手順を行なう。ここで、ＭＡＣハッシュスキップ閾値は、当該移動局がアイドルモードに入るためにネットワークから受信するＤＲＥＧ−ＣＭＤメッセージを通じて知ることになる。位置更新が成功的に行なわれた場合、基地局と当該移動局は、それぞれ自らのＭＡＣハッシュスキップカウンタを初期化する必要がある。
【０００９】
次に、優先基地局が同一のページンググループ内で変更された場合の従来技術による位置更新の手順を示したフローチャートである図１を参照して説明する。
【００１０】
図１を参照すると、第１の基地局１１０と第２の基地局１２０とは、同じページンググループに属する。第１の基地局１１０が優先基地局の場合には、移動局１００は、アイドルモードでステップ１３０に移行して、位置更新イベントの発生を確認する。ここで、位置更新イベントが発生した場合には、移動局１００は、ステップ１３２に移行して第１の基地局１１０と位置更新の手順を行い、ステップ１３４に移行する。一方、ステップ１３０で位置更新イベントが発生していない場合には、移動局１００は、ステップ１３４にジャンプする。ステップ１３４で、移動局は、ページングリスニング区間（ＰＬＩ：Paging  Listening  Interval）の間に、第１の基地局１１０からＭＯＢ＿ＰＡＧ−ＡＤＶメッセージを受信する。ステップ１３６乃至ステップ１４０は、優先基地局が第２の基地局１２０に変更されたという点を除き、前記ステップ１３０乃至ステップ１３４と同様である。
【００１１】
図１に示すように、第１の基地局１１０から第２の基地局１２０に優先基地局を変更した場合には、ステップ１３６での位置更新イベントの発生の検査により、第１の基地局１１０と第２の基地局１２０とが同じページンググループであることが明らかになる。このため、移動局は、位置更新の手順を行うことなく、ステップ１３６からステップ１４０へとジャンプする。
【００１２】
図２は、従来の区域（zone）による更新手順のための信号のフローを示したフローチャートである。
【００１３】
図２を参照すると、移動局１００は、自機のページンググループの変更を検知すると、基地局１２０から受信された有効なＤＣＤ及びＵＣＤ情報に従って、初期（initial）（または専用の（dedicated））レンジングＣＤＭＡ（Code Division Multiple Access）コード（Ｍ２０）を、優先基地局である基地局１２０に送信する。
【００１４】
当該基地局１２０は、ステイタスが成功であるレンジング応答メッセージ（RNG-RSP  with  status=success）（Ｍ２１）とＣＤＭＡ−割当て（Allocation）−IEメッセージ（Ｍ２２）とを通じて、移動局１００がアップリンクメッセージを伝送することができるようなアップリンク帯域幅（UL  BW）割当情報を、移動局１００に送信する。
【００１５】
移動局１００は、当該アップリンク帯域幅割当情報に従って、レンジング用途が０ｘ０２であるレンジング要求メッセージ（RNG-REQ  with  ranging  purpose＝０ｘ０２）（Ｍ２３）を送信する。このとき、移動局１００は、レンジング用途指示子（Ranging  Purpose  Indicator）であるＴＬＶ（Type、Length、Value）のうちのＶａｌｕｅ情報を、位置更新要求（location  update  request）であることを表示するように設定する。
【００１６】
基地局１２０は、位置更新応答、すなわち、成功を示す位置更新応答（ＬＵＲ）ＴＬＶを含むレンジング応答メッセージ（RNG-RSP  with  location  update  response）（Ｍ２４）で、移動局１００に応答する。このとき、基地局１２０は、レンジング応答メッセージ（Ｍ２４）に、新たなページング周期、新たなページングオフセット、及び新たなページンググループ識別子（Paging  Group  ID）などのページング情報を含めることができる。
【００１７】
当該レンジング応答メッセージ（Ｍ２４）を受信した移動局１００は、ステップ２０２で位置更新が成功したか否かを確認する。移動局１００は、位置更新が成功していればステップ２０４で位置更新の手続を完了する。位置更新が成功していない場合には、移動局１００は、ステップ２０６でネットワークへの進入の初期化を遂行する。
【００１８】
図３は、従来技術による区域（zone）による位置更新の手順の遂行時における着信号の保留処理の過程を示した信号フロー図である。ここでは、図１と図２に関して既に説明した処理過程またはメッセージの説明は省略する。
【００１９】
図３を参照すると、アイドルモードにおいて優先基地局が第１の基地局３１０から異なるページンググループである第２の基地局３２０へ変更されたことを感知すると、移動局１００と第２の基地局３２０とは、図２に示すように、Ｍ２０とＭ２４のメッセージを交換する。移動局１００は、レンジング応答メッセージ（Ｍ２４）を受信すると、ステップ３３６で位置更新を完了する。
【００２０】
さらに、移動局１００は、レンジング応答メッセージ（Ｍ２４）を受信すると、該レンジング応答メッセージ（Ｍ２４）に含まれる新たなページング情報を使用して、第２の基地局３２０からの有効なページングリスニング区間（ＰＬＩ）を監視する。したがって、移動局１００は、有効なページングリスニング区間（ＰＬＩ）内の着信号の発生を示すＭＯＢ＿ＰＡＧ−ＡＤＶメッセージ（Ｍ３０）を受信することができる。
【００２１】
着信号が存在することを検出すると、移動局は、ステップ３３８でアイドルモードから脱してネットワークに再進入する。
【００２２】
もしも、ステップ３３２から第２の基地局３２０がレンジング応答メッセージ（Ｍ２４）を送信するまでの期間中に、第１の基地局３１０または第２の基地局３２０が移動局１００に対する着信号を受信したものの、該着信号を伝達することができない場合、すなわち、着信号の保留が発生した場合には、移動局１００は、レンジング応答メッセージ（Ｍ２４）の受信の時点で事実上位置更新を完了したにもかかわらず、ＭＯＢ＿ＰＡＧ−ＡＤＶメッセージ（Ｍ３０）を通じて着信号の発生を確認するまでは、ステップ３３８のネットワーク再進入ができない。
【００２３】
すなわち、上述した従来の位置更新手続きの短所は、移動局は、位置更新が成功的に行なわれた直後であっても、該移動局に対する着信号が存在するか否かが分からないということである。移動局は、新しく更新されたページングリスニング区間（ＰＬＩ）になって初めて、着信号の発生を知ることになる。
【発明の開示】
【発明が解決しようとする課題】
【００２４】
本発明の目的は、少なくとも上述の問題点及び／又は不利益を本質的に解決し、少なくとも下記の利点を提供することにある。すなわち、本発明の目的は、広帯域無線接続システムにおいて着信号の遅延が減少された、アイドルモードの移動局の位置を更新する装置及び方法を提供することにある。
【００２５】
本発明の他の目的は、広帯域無線接続システムにおいてアイドルモードの移動局による位置更新中に着信号の遅延を減少させるための装置及び方法を提供することにある。
【００２６】
本発明のさらに他の目的は、広帯域無線接続システムにおいて、位置更新が要求された移動局に対して、保留状態の着信号が存在するか否かを示す応答メッセージを送信する装置及び方法を提供することにある。
【課題を解決するための手段】
【００２７】
本発明の第１の様態によれば、位置更新が必要なときに、位置更新を要求するレンジング要求メッセージを基地局に送信し、前記基地局からレンジング応答メッセージを受信し、移動局に対する着信号が発生したか否かを該レンジング応答メッセージから確認し、前記移動局に対する着信号が発生された場合には、ネットワークに再進入する移動局と、前記移動局から前記レンジング要求メッセージを受信すると、位置更新の手順を遂行し、前記移動局に対する着信号が発生したか否かを確認し、記移動局に対する着信号が発生したか否かを示す情報を含む前記レンジング応答メッセージを生成し、該レンジング応答メッセージを前記移動局に送信する前記基地局と、を含む広帯域無線接続システムにおける位置更新装置が提供される。
【００２８】
本発明の他の様態によれば、移動局から受信されたレンジング要求メッセージが位置更新を要求している場合に、位置更新の手順を遂行するレンジング要求処理部と、要求された前記位置更新が成功的に行なわれた場合に、前記移動局に対する着信号が発生したか否かを検査する着信号処理部と、前記位置更新が成功したか否かと、移動局に対する着信号が保留状態であるか否か、とを示す情報を含むレンジング応答メッセージを生成し、該レンジング応答メッセージを前記移動局に送信するレンジング応答処理部と、を含む広帯域無線接続システムにおける基地局の位置更新装置が提供される。
【００２９】
本発明のさらに他の様態によれば、アイドルモードにおける位置更新の条件により位置更新の手順を遂行するためのレンジング要求メッセージを生成するレンジング要求処理部と、基地局から受信されたレンジング応答メッセージから位置更新のための情報を取得し、前記レンジング応答メッセージから当該移動局に対する保留状態の着信号が存在するか否かを確認するレンジング応答処理部と、前記移動局に対する保留状態の着信号が存在する場合には、着信号を受信するために、当該優先基地局である前記基地局へネットワーク再進入を試みるネットワーク再進入処理部と、を含む広帯域無線接続システムにおける移動局の位置更新装置が提供される。
【００３０】
本発明のさらに他の様態によれば、移動局が、位置更新が必要なときに、当該位置更新を要求するレンジング要求メッセージを基地局に送信し、前記基地局が、前記レンジング要求を受信すると、位置更新の手順を遂行し、前記基地局が、前記位置更新の手順を遂行した後、前記移動局に対する着信号が発生したか否かを確認し、前記移動局に対する着信号が発生したか否かを示す情報を含むレンジング応答メッセージを生成し、該レンジング応答メッセージを前記移動局に送信し、前記移動局が、前記レンジング応答メッセージから、当該移動局に対する着信号が生成されたか否かを確認し、当該移動局に対する着信号が生成された場合に、ネットワークへの再進入を遂行する広帯域無線接続システムの位置更新方法が提供される。
【００３１】
本発明のさらに他の様態によれば、広帯域無線接続システムにおける基地局の位置更新方法が提供され、基地局は、移動局から位置更新を要求するレンジング要求メッセージを受信すると、位置更新の手順を遂行し、前記要求された位置更新を行なった後、前記移動局に対する着信号が発生したか否かを確認し、前記移動局に対する保留状態の着信号が存在するか否かを示す情報を含むレンジング応答メッセージを生成し、該レンジング応答メッセージを前記移動局に送信する。
【００３２】
本発明のさらに他の様態によれば、広帯域無線接続通信システムにおける移動局の位置更新方法が提供され、移動局は、位置更新が必要なときに、レンジング要求メッセージを生成し、該レンジング要求メッセージを基地局に送信し、前記基地局からレンジング応答メッセージを受信すると、保留状態の着信号が存在するか否かを確認し、当該移動局に対する保留状態の着信号が存在すると、ネットワークへの再進入を行う。
【発明の効果】
【００３３】
本発明によれば、移動局がアイドルモードのとき、基地局が移動局のための着信号の存在の有無を判定し、当該存在の有無を示すレンジング応答メッセージを当該移動局に送信する装置及び方法を提供する。したがって、資源の追加的な使用をせずに、位置更新を行うときに発生し得る着信号の遅延を減少する効果がある。
【発明を実施するための最良の形態】
【００３４】
以下、本発明の好ましい実施形態を、添付した図面の参照とともに詳細に説明する。以下の説明において、関連した公知機能又は構成に対する具体的な説明が本発明の要旨を不明にすると判断される場合には、その詳細な説明を省略する。
【００３５】
本発明は、広帯域無線接続システムにおいて移動局に向けられた着信号（downlink traffic）の遅延を低減するための、アイドルモードの移動局の位置更新をするための装置及び方法を提供するものであり、特に、移動局が、新しく更新されたページングリスニング区間（ＰＬＩ）になるまでは、着信号の存在を認知することができないという、現在のＩＥＥＥ  ８０２．１６ｅの規格で引き起こされる問題を解決するためのものである。
【００３６】
図４は、本発明に従った広帯域無線接続（ＢＷＡ）通信システムにおける区域（Zone）による位置更新中の着信号の保留処理過程のための信号フローを表した図である。ここでは、図１〜図３に関して既に説明した処理過程またはメッセージに対するその詳細な説明は、省略する。
【００３７】
図４を参照すると、移動局４００が、アイドルモードでステップ４３２に進行して、優先基地局が第１の基地局４１０からページンググループの異なる第２の基地局４２０へ変更されたことを感知すると、当該移動局４００は、初期（initial）/専用（dedicated）のレンジングＣＤＭＡコード（Ｍ２０）を第２の基地局４２０に送信する。当該第２の基地局４２０は、レンジング応答メッセージ（Ｍ２１）とＣＤＭＡ−割当て（Allocation）−ＩＥメッセージ（Ｍ２２）を移動局４００に送信する。その後、移動局４００は、レンジング要求（RNG-REQ）メッセージ（Ｍ２３）を第２の基地局４２０に送信する。
【００３８】
第２の基地局４２０は、ステップ４３４で移動局４００のための保留状態の着信号が存在することを確認し、レーンジング応答（RNG-RSP）メッセージ（Ｍ４０）を移動局４００に送信する。このレンジング応答（RNG-RSP）メッセージ（Ｍ４０）は、新しいページング情報と、着信号の存在を示す情報とを含む。
【００３９】
移動局４００は、当該レンジング応答（RNG-RSP）メッセージ（Ｍ４０）を通じて保留状態の着信号を確認すると、ステップ４３６で位置更新の手順を完了し、アイドルモードからネットワークへの再進入を遂行する。
【００４０】
レンジング応答（RNG-RSP）メッセージ（Ｍ４０）に含まれる位置更新応答（ＬＵＲ：Location  Update  Response）情報のＴＬＶ（Type、Length、Value）は、下記の表１のとおりである。
【００４１】
【表１】
2009535967.tif 000003
【００４２】
表１において、上記Ｖａｌｕｅの０×０２を除いたＴＬＶの値（Value）は、ＩＥＥＥ８０２．１６ｅ−２００５の規格と同じである。
【００４３】
図５は、本発明による広帯域無線接続通信システムにおける基地局のブロック図である。図５を参照すると、基地局は、制御部５００、インターフェースモジュール５０２、レンジング要求処理部５０４、レンジング応答処理部５０６、及び着信号処理部５０８を含んで構成される。
【００４４】
インターフェースモジュール５０２は、移動局と通信するためのモジュールであり、ＲＦ処理部及び基底帯域処理部を含んで構成される。ＲＦ処理部は、アンテナを介して受信されるＲＦ信号を基底帯域信号に変換（ダウンコンバート）し、該基底帯域信号を基底帯域処理部に提供する。ＲＦ処理部は、さらに、該基底帯域処理部から受信された基底帯域信号を、空気中で伝送することができるようにＲＦ信号に変換（アップコンバート）し、アンテナを介して該ＲＦ信号を送信する。例えば、広帯域無線接続方式を利用する場合、基底帯域処理部は、ＲＦ処理部から受信されたＲＦ信号をＦＦＴ（Fast  Fourier  Transform）演算及びチャンネルデコーディングにより処理し、元の情報データを制御部５００に供給する。逆に、基底帯域処理部は、制御部５００から受信されたデータをチャンネルエンコーディング及びＩＦＦＴ（Inverse  Fast  Fourier  Transform）演算により処理し、該処理後のデータをＲＦ処理部に供給する。
【００４５】
レンジング要求処理部５０４は、アイドルモードの移動局４００から受信されるレンジング要求（RNG-REQ）メッセージ（Ｍ２３）を処理する。レンジング要求処理部５０４は、レンジング要求（RNG-REQ）メッセージ（Ｍ２３）のレンジング用途が、位置更新用なのか、レンジング初期化（initial  ranging）用なのか、ネットワーク進入（network  entry）用なのかを区別し、相応した処理を行う。レンジング要求（RNG-REQ）メッセージ（Ｍ２３）に当該移動局４００の識別子（ＩＤ）とレンジング用途指示子（Ranging  Purpose  Indication）  Ｂｉｔ＃１＝１とが含まれる場合には、レンジング要求処理部５０４は、レンジング要求（RNG-REQ）メッセージ（Ｍ２３）が位置更新を要求しているとみなす。
【００４６】
着信号処理部５０８は、移動局４００によって要求される位置更新が処理された後に作動する。位置更新が成功的に行なわれた場合に、着信号処理部５０８は、移動局４００に対する着信号が発生したか否かを検査し、当該検査結果をレンジング応答処理部５０６に伝達する。
【００４７】
レンジング応答処理部５０６は、位置更新が成功したか否か、及び着信号の保留状態が存在するか否かに従って、表１に示すように規定された位置更新応答（ＬＵＲ：Location  Update  Response）情報のＴＬＶパラメータとともにレンジング応答（RNG-RSP）メッセージ（Ｍ４０）を生成する。
【００４８】
制御部５００は、インターフェースモジュール５０２、レンジング要求処理部５０４、レンジング応答処理部５０６、及び着信号処理部５０８を制御する。すなわち、制御部５００は、インターフェースモジュール５０２、レンジング要求処理部５０４、レンジング応答処理部５０６、及び着信号処理部５０８の機能を実装することができる。ここでは、例示的な目的から、インターフェースモジュール５０２、レンジング要求処理部５０４、レンジング応答処理部５０６、及び着信号処理部５０８が別々に示されているが、実際に製品を具現する場合に、これらの全て或いは一部を制御部５００内に組み入れるように構成してもよい。
【００４９】
図６は、本発明による広帯域無線接続通信システムにおける移動局のブロック図である。図６を参照すると、この移動局は、制御部６００、インターフェースモジュール６０２、レンジング要求処理部６０４、レンジング応答処理部６０６、位置更新処理部６０８、及びネットワーク再進入処理部６１０を含んで構成される。
【００５０】
インターフェースモジュール６０２は、基地局と通信するためのモジュールであり、ＲＦ処理部及び基底帯域処理部を含んで構成される。上記ＲＦ処理部は、アンテナを介して受信されるＲＦ信号を基底帯域信号に変換（ダウンコンバート）し、該基底帯域信号を基底帯域処理部に提供する。また、ＲＦ処理部は、基底帯域処理部から受信される基底帯域信号を、空気中で伝送することができるようにＲＦ信号に変換（アップコンバート）し、該ＲＦ信号を上記アンテナを介して送信する。例えば、広帯域無線接続方式を利用する場合、基底帯域処理部は、ＲＦ処理部から受信されたＲＦ信号をＦＦＴ演算及びチャンネルデコーディングにより処理し、元の情報データを制御部６００に供給する。逆に、基底帯域処理部は、制御部６００から受信されたデータをチャンネルエンコーディング及びＩＦＦＴ演算により処理し、該処理されたデータをＲＦ処理部に供給する。
【００５１】
レンジング要求処理部６０４は、位置更新の条件のいずれかがアイドルモードに合致する場合に、位置更新のためのレンジング要求（RNG-REQ）メッセージ（Ｍ２３）を生成する。レンジングの用途が位置更新であるレンジング要求（RNG-REQ）メッセージ（Ｍ２３）は、移動局（ここでは移動局４００）の識別子（ＩＤ）を含み、レンジング用途指示子（ranging  purpose  indication）  Ｂｉｔ＃１＝１と設定される。
【００５２】
レンジング応答処理部６０６は、移動局４００の位置更新の手順を行なうために、基地局４２０から受信されたレンジング応答（RNG-RSP）メッセージ（Ｍ４０）を処理する。レンジング応答処理部６０６は、位置更新応答（ＬＵＲ：Location  Update  Response）のＴＬＶ値に従って、位置更新のための情報を位置更新処理部６０８に提供し、当該位置更新応答（LUR）のＴＬＶの値に従って、保留中の着信号が存在するか否かをネットワーク再進入処理部６１０に通知する。ここでは、位置更新のための情報は、新たなページング周期を伴った新しいページング情報、新たなページングオフセット、及び新たなページンググループ識別子（ＰＧ−ＩＤ：Paging  Group  ID）とすることができる。
【００５３】
位置更新処理部６０８は、新たなページング周期、及び新たなページングオフセットを適用してページングリスニング区間（ＰＬＩ）を更新し、当該新たなＰＧ−ＩＤを保存する。
【００５４】
ネットワーク再進入処理部６１０は、レンジング応答処理部６０６が保留中の着信号が存在することを示した場合に、当該優先基地局である基地局４２０へネットワークの再進入を試みる。
【００５５】
制御部６００は、インターフェースモジュール６０２、レンジング要求処理部６０４、レンジング応答処理部６０６、位置更新処理部６０８、及びネットワーク再進入処理部６１０を制御する。すなわち、制御部６００は、インターフェースモジュール６０２、レンジング要求処理部６０４、レンジング応答処理部６０６、位置更新処理部６０８、及びネットワーク再進入処理部６１０の機能を実装することができる。ここでは、例示的な目的から、インターフェースモジュール６０２、レンジング要求処理部６０４、レンジング応答処理部６０６、位置更新処理部６０８、及びネットワーク再進入処理部６１０が別々に示されているが、実際に製品を具現する場合に、これらの全て或いは一部を制御部６００内に組み入れるように構成してもよい。
【００５６】
上述の本発明につき、特定の好ましい実施形態に関して開示され説明されたものであり、本発明の属する技術の分野における通常の知識を有する者であれば、添付された特許請求の範囲に規定されるような本発明の精神及び技術的範囲から逸脱することなく、形式や細部における様々な変更が可能であることを理解されるであろう。
【図面の簡単な説明】
【００５７】
【図１】従来技術による同一ページンググループ内における優先基地局の変更時の位置更新の手順を示したフローチャートである。
【図２】従来技術における区域（Zone）更新の手順のための信号のフローを示す図である。
【図３】従来技術による区域更新時における着信号の保留処理の過程のための信号フローを示す図である。
【図４】本発明による広帯域無線接続通信システムにおける区域更新時における着信号の保留処理の過程のための信号フローを示す図である。
【図５】本発明による広帯域無線接続通信システムにおける基地局のブロック構成を示した図である。
【図６】本発明による広帯域無線接続通信システムにおける移動局のブロック構成を示した図である。
【図１】
2009535967.tif 000010
【図２】
2009535967.tif 000011
【図３】
2009535967.tif 000012
【図４】
2009535967.tif 000013
【図５】
2009535967.tif 000014
【図６】
2009535967.tif 000015
【国際調査報告】
2009535967.tif 000016
2009535967.tif 000017